(57)【要約】【課題】脚部が重なり合ってもかさ張ることなくきちんと収納でき且つ見た目にも美しく折りたたむことが可能な折りたたみ机の提供。【解決手段】脚部が折りたたみ可能な机であって、天板と、天板裏面に起伏自在に設けられた左右の脚部と、脚部の起立状態を維持するための支持体から構成され、脚部は、天板裏面に支点軸が設けられ支点軸を中心に上下に起伏可能に取り付けられた台部と、台部に延設されて台部を伏状態として脚部を折りたたんだ際にお互いが重なり合う延設部からなり、支持体は、左右の脚部間に天板裏面に具備された支点軸を中心に上下に起伏自在に設けられ、左右の脚部を折りたたんだ際に、一方の前記延設部の先端と他方の延設部の基端とが重なり合った左右の延設部の厚み合計ｄが台部の厚みＤと同じか又は薄くなるように設けられていることを特徴とする。【選択図】  図１
2004261373.tif 000002
【特許請求の範囲】
【請求項１】
脚部が折りたたみ可能な机であって、
天板と、該天板裏面に起伏自在に設けられた左右の脚部と、該脚部の起立状態を維持するための支持体から構成され、
前記脚部は、前記天板裏面に支点軸が設けられ該支点軸を中心に上下に起伏可能に取り付けられた台部と、該台部に延設されて該台部を伏状態として前記脚部を折りたたんだ際にお互いが重なり合う延設部からなり、
前記支持体は、左右の前記脚部間に天板裏面に具備された支点軸を中心に上下に起伏自在に設けられ、
左右の脚部を折りたたんだ際に、一方の前記延設部の先端と他方の前記延設部の基端とが重なり合った左右の前記延設部の厚み合計ｄが前記台部の厚みＤと同じか又は薄くなるように設けられている
ことを特徴とする折りたたみ机。
【請求項２】
前記延設部の厚みは、先端に向けて漸次細くなっていることを特徴とする請求項１記載の折りたたみ机。
【請求項３】
前記脚部の起立状態に於いて、前記台部が前記延設部よりも内側に設けられ、前記脚部を折りたたんだ際に前記延設部と前記天板裏面との間に空間が形成されることを特徴とする請求項１又は２記載の折りたたみ机。
【請求項４】
前記台部は、前記脚部を折りたたむ際に、前記支持体の干渉を避ける切欠部を有することを特徴とする請求項１乃至３いずれかに記載の折りたたみ机。
【発明の詳細な説明】
【０００１】
【発明の属する技術分野】
本発明は、折りたたみ机に関し、より詳しくは、経机のような天板の長手方向の長さが脚部を折りたたんだ際の左右の脚部を足した長さに比べて短い机に於いて、脚部を上下に起伏自在にする支点軸が天板裏面に設けられ、脚部が重なり合ってもかさ張ることなくきちんと収納でき且つ見た目にも美しく折りたたむことが可能な折りたたみ机に関する。
【０００２】
【従来の技術】
従来、経机のような机は、固定式の脚部が天板の下側に設けられ安定感を有す物であった。
しかし、このような固定式の脚部を有する机は、不使用となり片付ける際にはこのままの形状で片付けなければならないため余分な場所を必要としていた。
脚部に蝶番を設けて、脚部を折りたためるようにする方法が創出されているが、経机のような机は通常の机とは異なり天板の長手方向の長さが脚部を折りたたんだ際の左右の脚部を足した長さに比べて十分ではないので、脚部を折りたたむと、脚部同士が接触してしまう問題点があった。
この問題点を解決するためには、左右の脚部の支点軸を段違いに設ける方法しかなかった。
しかし、上記した解決方法では、脚部の支点軸を段違いに設けるので、脚部を折りたたむことは可能となるが、脚部がかさ張るので見た目にも美しく折りたためるとは言い難かった。
【０００３】
そこで、経机のような天板の長手方向の長さが脚部を折りたたんだ際の左右の脚部を足した長さに比べて十分な長さを有しない机に於いて、脚部の支点軸が天板裏面に設けられ、脚部を折りたたみ可能とする発明が創出された（例えば、特許文献１参照。）。
しかしながら、この特許文献１記載の発明では、脚部を折りたためるようになっても、折りたたんだ脚部が天板の大きさからはみ出てしまうため反って収納しづらく見た目に美しくないという問題があった。
【０００４】
【特許文献１】
特開２００２−１５３３２７号公報
【０００５】
【発明が解決しようとする課題】
本発明は、このような実情に鑑みてなされたもので、経机のような天板の長手方向の長さが脚部を折りたたんだ際の左右の脚部を足した長さに比べて短い机に於いて、脚部の上下に起伏自在にする支点軸が天板裏面に設けられ、脚部が重なり合ってもかさ張ることなくきちんと収納でき且つ見た目にも美しく折りたたむことが可能な折りたたみ机を提供する。
【０００６】
【課題を解決するための手段】
請求項１記載の発明は、脚部が折りたたみ可能な机であって、天板と、該天板裏面に起伏自在に設けられた左右の脚部と、該脚部の起立状態を維持するための支持体から構成され、前記脚部は、前記天板裏面に支点軸が設けられ該支点軸を中心に上下に起伏可能に取り付けられた台部と、該台部に延設されて該台部を伏状態として前記脚部を折りたたんだ際にお互いが重なり合う延設部からなり、前記支持体は、左右の前記脚部間に天板裏面に具備された支点軸を中心に上下に起伏自在に設けられ、左右の脚部を折りたたんだ際に、一方の前記延設部の先端と他方の前記延設部の基端とが重なり合った左右の前記延設部の厚み合計ｄが前記台部の厚みＤと同じか又は薄くなるように設けられていることを特徴とする折りたたみ机を提供する。
【０００７】
請求項２記載の発明は、前記延設部の厚みは、先端に向けて漸次細くなっていることを特徴とする請求項１記載の折りたたみ机を提供する。
請求項３記載の発明は、前記脚部の起立状態に於いて、前記台部が前記延設部よりも内側に設けられ、前記脚部を折りたたんだ際に前記延設部と前記天板裏面との間に空間が形成されることを特徴とする請求項１又は２記載の折りたたみ机を提供する。
【０００８】
請求項４記載の発明は、前記台部は、前記脚部を折りたたむ際に、前記支持体の干渉を避ける切欠部を有することを特徴とする請求項１乃至３いずれかに記載の折りたたみ机を提供する。
これらの発明を提供することで上記課題を悉く解決する。
【０００９】
【発明の実施の形態】
本発明の実施の形態を説明する。
本発明に係る折りたたみ机の構成を図面を参照しつつ説明する。
図１は、本発明に係る折りたたみ机の斜視図である。
図２は、本発明に係る折りたたみ机の下方からの斜視図である。
図３は、本発明に係る折りたたみ机の支持体を折りたたんだ状態の底面図である。
図４は、図２で示された切欠部の拡大図である。
図５は、本発明に係る折りたたみ机の片方の脚部を折りたたんだ状態を示す底面図である。
図６は、本発明に係る折りたたみ机の脚部を折りたたんだ状態を示す底面図である。
図７は、本発明に係る折りたたみ机の脚部を折りたたんだ状態を示す正面図である。
図８は、本発明に係る折りたたみ机の延設部が２つの場合を示す下方からの斜視図である。
【００１０】
本発明に係る折りたたみ机（１）は、天板（１０）と脚部（２０）と支持体（３０）から構成される。
本発明に係る天板（１０）の長軸方向の長さは、特に限定されないが、本発明は経机のような天板（１０）の長手方向の長さが脚部（２０）を折りたたんだ際の左右の脚部（２０）を足した長さに比べて短い机に於いて大きな効果を発揮するので、本明細書及び図面中では、折りたたんだ際の左右の脚部（２０）を足した長さに比べて天板（１０）の長手方向の長さが短い天板（１０）を有する机（１）を例に挙げて説明する。
【００１１】
脚部（２０）は、天板裏面（１１）の左右の短辺に沿って複数設けられ、上下に起伏自在となる部材である。
脚部（２０）は、特に限定されないが、天板（１０）を安定して支えるために、図２で示す如く、天板裏面（１１）の長手方向両端部に沿って設けられることが好ましい。
脚部（２０）が天板裏面（１１）の長手方向両端部に沿って設けられることによって、天板（１０）をより安定に支えられると共に脚部（２０）の後述する延設部（２２）の長さを十分に確保できるからである。
脚部（２０）は、天板裏面（１１）内に支点軸（２４）が設けられこの支点軸（２４）を中心に上下に起伏可能に設けられる台部（２１）と、台部（２１）に延設され、脚部（２０）を折りたたんだ際に左右の脚部同士が重なり合う延設部（２２）から構成される。
台部（２１）は、天板裏面（１１）上に天板（１０）と脚部（２０）を上下に起伏自在にする支点軸（２４）を備えた部材である。
台部（２１）に設けられる脚部（２０）を上下に起伏自在とするための支点軸（２４）は、特に限定されないが、金属具を見せないようにするために、埋め込み式の蝶番を使用することが好ましい。
台部（２１）の長さは、特に限定されないが、脚部（２０）の長さの１／３〜１／５程度が好ましい。
台部（２１）の長さが脚部（２０）の長さの１／３を超えると後述する延設部（２２）の長さが十分設けられず、机（１）の高さが低くなってしまうからであり、台部（２１）の長さが脚部（２０）の長さの１／５未満になると埋め込み式蝶番が埋め込みできなくなるからである。
【００１２】
台部（２１）の断面の形状は、特に限定されないが、図３で示す如く、横断面略凹字状の形状を有し、凹部を内側にして天板裏面（１１）に設けられることが好ましい。
台部（２１）の横断面形状が、図３で示す如く略凹字状であることで、後述する支持体（３０）が折りたたまれ、脚部（２０）を折りたたんだ際に、折りたたまれた支持体（３０）が台部（２１）の略凹字状の形状の凹部内に配置され、脚部（２０）と支持体（３０）がかさ張らず綺麗に重なり合って折りたたみができるからである（図７参照）。
台部（２１）の略凹字状の凹部の断面形状は、上述したように折りたたまれた支持体（３０）を内部に収納するように配置されるので、凹部の断面形状は折りたたまれた支持体（３０）の断面形状よりも大きい形状に設けられている。
台部（２１）の縦断面形状は、特に限定されないが、台形のような下底よりも上底のほうが小さい形状を有することが好ましい（図７参照）。
【００１３】
台部（３０）は、特に限定されないが、図４で示す如く、脚部（２０）を折り倒す際に、折り倒された支持体（３０）を避ける切欠部（２３）を有する。
切欠部（２３）は、脚部（２０）を折りたたむ際に、折りたたまれた支持体（３０）と接触しないように台部（２２）に設けられている切欠きである。
切欠部（２３）の形状は、特に限定されず、上記したように折りたたまれた支持体（３０）に脚部（２０）が折りたたまれる際に接触しないように設けられればよい。
【００１４】
延設部（２２）は、台部（２１）に延設され、脚部（３０）を構成する部材であり、脚部（２０）を折りたたんだ際に、他方の脚部（２０）（延設部（２２））と重なり合う部分である。
延設部（２２）は、左右の脚部（２０）を折りたたんだ際に、一方の延設部（２２）の先端（２５）と他方の延設部（２２）の基端（２６）とが重なり合った厚み合計（ｄ）が台部（２１）の厚み（Ｄ）と同じか又は薄くなるように設けられている（図７参照）。
延設部（２２）は、上記した構成になるように、縦断面の形状が先端に向けて漸次細くなる縦断面形状を有していることが好ましい（図７参照）。
しかしながら、上記に限定されず、台部（２１）の厚み（Ｄ）が延設部（２２）の合計厚み（ｄ）よりも小さければ、延設部（２２）は均一に等しい太さで構成されていてもよい。
延設部（２２）の縦断面形状が先端に向けて漸次細くなる形状を有することで、左右の脚部（２０）の折りたたみ支点軸（２４）が同一平面内である天板裏面（１１）に設けられ折りたたまれた脚部（２０）が重なり合う場合でも、脚部（２０）の延設部（２２）同士がきちんと重なり合うことになる（図７参照）。
延設部（２２）の先細りする形状は、特に限定されないが、脚部（２０）の延設部（２２）同士が当接するので、図７に示す如く、縦断面が上底よりも下底の方が長い台形状であることが好ましい。
延設部（２２）の縦断面が上底よりも下底の方が長い先細りの台形状であるので、延設部（２２）同士が折りたたまれた際に、左右のどちらを先に折りたたんでも、ぴったりと重なり合うことになるからである。
脚部（２０）が起立状態に於いて、台部（２１）が延設部（２２）よりも内側に設けられている（図３参照）。
上記したように台部（２１）が延設部（２２）よりも内側に設けられているので、脚部（２０）を折りたたんだ際に、延設部（２２）と天板裏面（１１）との間に空間が形成されることになり、後述する支持体（３０）を収納する空間が生じることになり、かさ張らず折りたたみが可能となる。
延設部（２２）は、図６では１枚の板状に形成されているが、特に限定されず、複数枚の板から構成されてもよく、図８で示す如く、台部（２１）に２つの延設部（２２）を設けてもよい。
【００１５】
支持体（３０）は、脚部（２０）が起立状態を維持するための部材である。
支持体（３０）は、図２で示す如く、天板（１０）の裏面（１１）の長手方向に沿って略中央に配置され、天板裏面（１１）に具備された支点軸（３２）を中心に上下に起伏自在に設けられている。
支持体（３０）が支点軸（３２）を中心に上下に起伏する手段は、特に限定されないが、支持体（３０）は埋め込み式の蝶番が天板（１０）の裏面（１１）と支持体（３０）とに設けられている。
支持体（３０）の長さは、特に限定されないが、脚部（２０）の起立状態を維持するため、図２で示す如く、台部（２１）の凹部内底面から他方の台部（２１）の凹部内底面までの長さを有していることが好ましい。
支持体（３０）の長さが台部（２１）の凹部内底面から他の台部（２１）の凹部内底面までの長さを有することで、支持体（３０）を一本の部材で構成できると共に支持体（３０）が起立状態の台部（２１）をしっかりと支えることができるからである。
支持体（３０）には、窪み部（３１）が設けられている。
窪み部（３１）は、支持体（３０）を折りたたみ状態から立ち起こす際に把手代わりとなる。
以上が本発明に係る折りたたみ机（１）の構成の説明である。
【００１６】
本発明に係る折りたたみ机（１）の作用を図面を参照しつつ説明する。
本発明に係る折りたたみ机（１）を折りたたむ際は、先ず、図１に示す如く脚部（２０）が起立状態の机（１）の天板（１０）を裏返しにする。
次に、図２で示す如く裏返しにされた机（１）を支点軸（３２）を中心に支持体（３０）を折りたたむ（図３参照）。
支持体（３０）が折りたたまれた机（１）は、左右どちらか一方の脚部（２０）が折りたたまれる（図５参照）。
この時、脚部（２０）の起立状態に於いて台部（２１）が延設部（２２）よりも内側に設けられているため、脚部（２０）を折りたたんだ際に延設部（２２）と天板裏面（１１）との間に形成される空間に支持体（３０）が収納されることになる。
図５では、向かって右側の脚部（２０）が折りたたまれているが、左側の脚部（２０）が先に折りたたまれても構わない。
次に、まだ折りたたまれていない他方の脚部（２０）を折りたたむ（図６参照）。
脚部（２０）を折りたたむ際にも、台部（２１）に切欠部（２３）があるので、支持体（３０）に引掛かること無しにスムーズに折りたたむことができる。
この時、脚部（２０）の延設部（２２）が折りたたんだ際の延設部（２２）の厚み（ｄ）が台部（２１）の厚み（Ｄ）よりも細くなるように先端に向けて漸次細くなる縦断面を有しているので、左右の脚部（２０）の支点軸（２４）を段違いに設けることなく左右の延設部（２２）同士が綺麗に重なり合うことになる（図７参照）。
以上が本発明に係る折りたたみ机（１）の作用である。
【００１７】
【発明の効果】
請求項１記載の発明は、脚部が折りたたみ可能な机であって、天板と、該天板裏面に起伏自在に設けられた左右の脚部と、該脚部の起立状態を維持するための支持体から構成され、前記脚部は、前記天板裏面に支点軸が設けられ該支点軸を中心に上下に起伏可能に取り付けられた台部と、該台部に延設されて該台部を伏状態として前記脚部を折りたたんだ際にお互いが重なり合う延設部からなり、前記支持体は、左右の前記脚部間に天板裏面に具備された支点軸を中心に上下に起伏自在に設けられ、左右の脚部を折りたたんだ際に、一方の前記延設部の先端と他方の前記延設部の基端とが重なり合った左右の前記延設部の厚み合計ｄが前記台部の厚みＤと同じか又は薄くなるように設けられていることを特徴とする折りたたみ机であるから、経机のような天板の長手方向の長さが脚の長さに比べて短い机に於いて、脚部の上下に起伏自在にする支点軸が天板裏面に設けられ、脚部が重なり合ってもかさ張ることなくきちんと収納でき且つ見た目にも美しく折りたたむことが可能な折りたたみ机を提供することができる。
【００１８】
請求項２記載の発明は、前記延設部の厚みは、先端に向けて漸次細くなっていることを特徴とする請求項１記載の折りたたみ机であるから、脚部を折りたたんだ際の重なり合う延設部の厚みが確実に台部の厚みよりも薄く且つ綺麗に重なり合うように折りたたむことを可能にする折りたたみ机を提供することができる。
【００１９】
請求項３記載の発明は、前記脚部の起立状態に於いて、前記台部が前記延設部よりも内側に設けられ、前記脚部を折りたたんだ際に前記延設部と前記天板裏面との間に空間が形成されることを特徴とする請求項１又は２記載の折りたたみ机であるから、脚部を折りたたんだ際に支持体が脚部とかさ張らず収納できる折りたたみ机を提供することができる。
【００２０】
請求項４記載の発明は、前記台部は、前記脚部を折りたたむ際に、前記支持体の干渉を避ける切欠部を有することを特徴とする請求項１乃至３いずれかに記載の折りたたみ机であるから、脚部を折りたたむ際に、支持体に接触することなくスムーズに折りたたむことができる折りたたみ机を提供することができる。
【図面の簡単な説明】
【図１】本発明に係る折りたたみ机の斜視図である。
【図２】本発明に係る折りたたみ机の下方からの斜視図である。
【図３】本発明に係る折りたたみ机の支持体を折りたたんだ状態の底面図である。
【図４】図２で示された切欠部の拡大図である。
【図５】本発明に係る折りたたみ机の片方の脚部を折りたたんだ状態を示す底面図である。
【図６】本発明に係る折りたたみ机の脚部を折りたたんだ状態を示す底面図である。
【図７】本発明に係る折りたたみ机の脚部を折りたたんだ状態を示す正面図である。
【図８】本発明に係る折りたたみ机の延設部が２つの場合を示す下方からの斜視図である。
【符号の説明】
１・・・・・折りたたみ机
１０・・・・・・天板
１１・・・・・・天板裏面
２０・・・・・・脚部
２１・・・・・・台部
２２・・・・・・延設部
２３・・・・・・切欠部
２４・・・・・・脚部の支点軸
２５・・・・・・延設部の先端
２６・・・・・・延設部の基端
３０・・・・・・支持体
３２・・・・・・支持体の支点軸
Ｄ・・・・・・・台部の厚み
ｄ・・・・・・・左右の延設部の合計厚み
【図１】
2004261373.tif 000003
【図２】
2004261373.tif 000004
【図３】
2004261373.tif 000005
【図４】
2004261373.tif 000006
【図５】
2004261373.tif 000007
【図６】
2004261373.tif 000008
【図７】
2004261373.tif 000009
【図８】
2004261373.tif 000010